(57)【要約】  【課題】  浄水器付き水栓は、手動式開閉弁と水浄化カートリッジを含めた水栓全体が台所カウンタなどの水栓設置面の上方に突出するため、水栓全体の高さがかなり高い状態になり邪魔になる。また浄化能力アップのために、水浄化カートリッジの直径を大きくすれば、水栓本体も大きくなる。本発明は、水栓取付け部の上方への突出高さが低く、しかも浄水カートリッジの交換がし易い給水装置を提供する。また、手動式開閉弁の組み込み構造とはせずに、スイッチによって給水路を開閉する電磁弁方式をして、水栓の小型化を図り、操作性に優れた給水装置とするものである。  【解決手段】  水栓取付け部には上方へ突出状態に水栓が取り付けられ、水栓の水栓本体には前記水栓取付け部の壁を貫通状態に浄水カートリッジが収納され、前記浄水カートリッジは前記水栓取付け部の壁の上方から着脱可能に前記水栓本体に保持されたこと。【選択図】    図４
2006291603.tif 000002
【特許請求の範囲】
【請求項１】
水栓取付け部には上方へ突出状態に水栓が取り付けられ、前記水栓の水栓本体には前記水栓取付け部の壁を貫通状態に浄水カートリッジが収納され、前記浄水カートリッジは前記水栓取付け部の壁の上方から着脱可能に前記水栓本体に保持されたことを特徴とする給水装置。
【請求項２】
縦長形状の浄水カートリッジを縦長に収納する浄水カートリッジ収納部を備え、この浄水カートリッジ収納部の下部に水の入口部が設けられ、前記浄水カートリッジを通過した水の出口部が前記浄水カートリッジ収納部の上部に設けられた水栓本体と、この水栓本体に取り付けられて前記出口部の水を吐水口から吐水する吐水部材とを備え、前記浄水カートリッジは活性炭が収納された小径下部とその上方に中空糸膜が収納された大径上部を形成し、前記浄水カートリッジ収納部は、前記浄水カートリッジの小径下部を収納する小径収納部と、前記浄水カートリッジの大径上部を収納する大径収納部とを形成し、前記浄水カートリッジ収納部の外面に現れる前記小径収納部と大径収納部との段差部によって、前記水栓本体を水栓取付け部の取付け孔周縁上面に係止状態に取付け可能としたことを特徴とする給水装置。
【発明の詳細な説明】
【技術分野】
【０００１】
本発明は、浄水カートリッジを収納した水栓本体を流し台等に取り付ける形態の給水装置に関する。
【背景技術】
【０００２】
水浄化カートリッジへ原水を供給する原水供給室と、水浄化カートリッジで浄化した浄水を受け入れる浄水流入室を横並び同一面に設けた水浄化カートリッジ内蔵タイプの水栓の改良として発明された浄水器付き水栓がある。（例えば、特許文献１参照）。
【０００３】
この特許文献１の浄水器付き水栓は、円筒形状の水浄化カートリッジを縦長の水栓本体内に収納し、水栓本体の下端部に原水の流入部を設け、水栓本体の上端部にて蓋材を介して吐出管が取り付けられ、水浄化カートリッジの下方に手動式開閉弁が組み込まれ、蓋材の開閉によって水浄化カートリッジを交換可能に構成している。これによって、幅および奥行き寸法が小さく、縦長形状の構成できるため、台所カウンタなどを有効に活用できる面積を大きくでき、清掃性に優れ、水栓本体内の通水路の構成が簡単になるため製造費用が安価となり、水浄化カートリッジの交換が簡単になる効果を提唱している。
【特許文献１】特開２００４−２６３５０４号
【発明の開示】
【発明が解決しようとする課題】
【０００４】
この特許文献１の浄水器付き水栓は、手動式開閉弁と水浄化カートリッジを含めた水栓全体が、台所カウンタなどの水栓設置面の上方に突出するため、水栓全体の高さがかなり高い状態になり、邪魔になることがある。また、水浄化カートリッジによる浄化能力をアップさせるために、水浄化カートリッジの直径を大きくする方法が考えられるが、それに見合って水栓本体も大きくなり、その大きな水栓が台所カウンタなど上方に突出するため、さらに邪魔になることとなる。また、手動式開閉弁が組み込まれているため、水栓全体が更に長くなっている。
【０００５】
本発明はこのような点に鑑みて、浄水カートリッジを内蔵し、この浄水カートリッジを通過した浄水を取り出す水栓を、台所の棚部分や調理台や流し台などの水栓取付け部に取り付ける場合、この水栓取付け部からの上方への突出高さが低く、しかも浄水カートリッジの交換がし易い給水装置を提供する。
【０００６】
また、本発明は、浄水カートリッジ付き水栓の取付けを共通化するために、水栓取付け部の取付け孔径が規定されている状況においても、水栓の高さを低くでき、しかも水浄化カートリッジによる所期の浄化能力を確保できる装置を提供するものである。
【０００７】
更に、本発明によって、浄水カートリッジ付き水栓は、手動式開閉弁の組み込み構造とはせずに、スイッチによって給水路を開閉する電磁弁方式として、水栓の小型化を図り、操作性に優れた給水装置とすることができるものである。
【課題を解決するための手段】
【０００８】
第１の発明は、水栓取付け部には上方へ突出状態に水栓が取り付けられ、前記水栓の水栓本体には前記水栓取付け部の壁を貫通状態に浄水カートリッジが収納され、前記浄水カートリッジは前記水栓取付け部の壁の上方から着脱可能に前記水栓本体に保持されたことを特徴とする。
【０００９】
第２の発明は、縦長形状の浄水カートリッジを縦長に収納する浄水カートリッジ収納部を備え、この浄水カートリッジ収納部の下部に水の入口部が設けられ、前記浄水カートリッジを通過した水の出口部が前記浄水カートリッジ収納部の上部に設けられた水栓本体と、この水栓本体に取り付けられて前記出口部の水を吐水口から吐水する吐水部材とを備え、前記浄水カートリッジは活性炭が収納された小径下部とその上方に中空糸膜が収納された大径上部を形成し、前記浄水カートリッジ収納部は、前記浄水カートリッジの小径下部を収納する小径収納部と、前記浄水カートリッジの大径上部を収納する大径収納部とを形成し、前記浄水カートリッジ収納部の外面に現れる前記小径収納部と大径収納部との段差部によって、前記水栓本体を水栓取付け部の取付け孔周縁上面に係止状態に取付け可能としたことを特徴とする。
【発明の効果】
【００１０】
第１の発明では、水栓が流し台の上壁等に上方へ突出状態に取り付けられるが、この場合、水栓本体に収納される浄水カートリッジの下部は、水栓設置面である流し台の上壁等の下方に潜る状態となり、浄水カートリッジを収納した水栓本体が水栓設置面の上方に突出する高さが低くなり、邪魔にならない取付け状態を達成することができる。そして、このような取付けであるため、浄水カートリッジの長さを減少する必要がなく、浄化能力を十分維持できる長さの浄水カートリッジを採用できるものとなる。更に、浄水カートリッジは水栓本体の上方から着脱可能であるため、浄水カートリッジの交換もし易くなる。また、全体的に見ても、水栓設置面の上方への突出高さが低くなり、コンパクトなデザインに適したものとなる。更に、水栓の取付けを共通化するために、水栓取付け部の取付け孔径が規定されている状況においても、水栓の高さを低くでき、しかも水浄化カートリッジによる所期の浄化能力を確保できる装置となる。
【００１１】
第２の発明では、第１の発明の効果に加えて、浄水カートリッジは活性炭が収納された小径下部とその上方に中空糸膜が収納された大径上部を形成した形態であるため、活性炭を詰めた部分の長さを十分取れるものとなり、この部分での残留塩素や臭いの原因となる物質の吸着効果を十分発揮できる。また、中空糸膜を詰めた部分は活性炭が収納された小径下部よりも直径を大きくできるため、中空糸膜による浄化領域の高さを抑えて十分な浄化領域が得られることとなり、この部分に中空糸膜をＵ字状に収納する等の方法によって十分な浄化作用が得られ、この中空糸膜による微細な汚れ除去効果を十分発揮できるものとなる。このため、水栓の取付けを共通化するために、水栓取付け部の取付け孔径が規定されている状況においても、浄水カートリッジ収納部の外面に現れる段差部を利用した取付けによって、取付け易く安定した取付けが得られると共に、水栓の高さを低くできるものとなり、水浄化カートリッジによる所期の浄化能力を確保できる装置となる。
【発明を実施するための最良の形態】
【００１２】
本発明は、水栓取付け部には上方へ突出状態に水栓が取り付けられ、前記水栓の水栓本体には前記水栓取付け部を貫通状態に浄水カートリッジが収納され、前記浄水カートリッジは前記水栓取付け部の上方から着脱可能に前記水栓本体に保持されるものである。
【００１３】
その具体的な構成の一つとして、水栓本体は、縦長形状の浄水カートリッジを縦長に収納する浄水カートリッジ収納部を備え、この浄水カートリッジ収納部の下部に水の入口部が設けられ、前記浄水カートリッジを通過した水の出口部が前記浄水カートリッジ収納部の上部に設けられており、前記出口部の水を吐水口から吐水する吐水部材がこの水栓本体に取り付けられており、前記浄水カートリッジは活性炭が収納された小径下部とその上方に中空糸膜が収納された大径上部を形成し、前記浄水カートリッジ収納部は、前記浄水カートリッジの小径下部を収納する小径収納部と、前記浄水カートリッジの大径上部を収納する大径収納部とを形成し、前記浄水カートリッジ収納部の外面に現れる前記小径収納部と大径収納部との段差部によって、前記水栓本体を水栓取付け部の取付け孔周縁上面に係止状態に取付け可能としたものである。以下に本発明の実施形態を具体的に記載する。
【実施例１】
【００１４】
次に、本発明の実施の形態について説明する。各図は本発明の実施形態を示しており、図１は本発明に係る給水装置を流し台に設置した状態を説明する正面図、図２は本発明に係る水栓を流し台に設置した状態を説明する平面図、図３は本発明に係る水栓を流し台に設置した状態を説明する側面図、図４は本発明に係る水栓を流し台に設置した状態を説明する縦断側面図、図５は本発明に係る水栓を説明する平面図、図６はリード線の配線用溝部分の斜視図である。
【００１５】
本発明は、浄水カートリッジ７を内蔵し、この浄水カートリッジ７を通過した浄水を取り出す水栓１を、台所の棚部分や調理台や流し台などの水栓取付け部２に取り付ける場合、この水栓取付け部２からの上方への突出高さが低く、しかも浄水カートリッジ７の交換がし易い給水装置を提供する。また本発明は、水栓１内に手動式開閉弁を組み込む構造とはせずに、スイッチによって給水路３を開閉する電磁弁４方式として、水栓１の小型化を図り、操作性に優れた給水装置とするものである。以下、本発明の給水装置を流し台５に適用した一つの実施例を図に基づき説明することとする。
【００１６】
本発明の給水装置は、水栓取付け部２である流し台５の上壁（又は天板ともいう）６に上方へ突出状態に水栓１が取り付けられている。水栓１は、浄水カートリッジ７を内蔵した水栓本体１１と、水栓本体１１に取り付けられて浄水カートリッジ７を通過した浄水を吐水口２１から吐出する吐水部材１０とを備えている。水栓本体１１には、水栓取付け部２の壁、即ち流し台５の上壁６を貫通した状態に浄水カートリッジ７が収納され、浄水カートリッジ７は上壁６の上方から着脱可能に水栓本体１１に保持された状態である。また、浄水カートリッジ７へ供給される上水道水の給水路３を開閉する電磁弁４が設けられ、この電磁弁４の制御操作部２５が水栓１の適所に設けられている。
【００１７】
これを更に詳述することとする。流し台５は、ステンレススチール等の平板をプレス加工等によって、上壁（又は天板ともいう）６と一体にシンク１５を形成している。シンク１５には奥側に排水口１５Ａが形成されている。シンク１５は排水口１５Ａの左右の部分が手前側に張り出しており、この張り出しによって形成されたシンク１５近傍の上壁６には、水栓１の取付け孔１２と後述の原水用給水栓３５の取付け孔３４が形成されている。この取付け孔１２を利用して、水栓本体１１が、この取付け孔１２を貫通状態に上壁６に取付けナット１３によって固定されている。水栓本体１１は、縦長形状の円筒状の浄水カートリッジ７を縦長に収納する円筒状の浄水カートリッジ収納部１６を備え、この浄水カートリッジ収納部１６の下部に水の入口部１７が設けられ、浄水カートリッジ７を通過した水の出口部１８が、浄水カートリッジ収納部１６の上部に円周方向に長く形成されている。
【００１８】
浄水カートリッジとして、原水が粒状等の活性炭が収納された部分を通った後、中空糸膜が収納された部分を通って浄化されるものは公知であり、その構造は種々ある。本発明の浄水カートリッジ７も、上水道水である原水が粒状等の活性炭を通った後、中空糸膜を通って浄化される構造であり、その浄水カートリッジ７の具体的な構造を説明する。浄水カートリッジ７は、粒状等の活性炭が収納された直径の小さい円筒状小径下部７Ａと、その上方に中空糸膜が収納された円筒状大径上部７Ｂとを合成樹脂で形成しており、円筒状小径下部７Ａの上端部と円筒状大径上部７Ｂの下端部が、ネジ結合によって着脱可能に結合されている。そして、浄水カートリッジ７は、下端面が水の入口２７であり、上部周縁には浄水カートリッジ収納部１６の水の出口部１８に対応するように、略等間隔（実施例では４箇所）に水の出口２８を形成している。また、小径下部７Ａの上下部分には、水は通すが前記活性炭の零れ落ち防止と中空糸膜側への活性炭の移動防止のために、フィルタ８、９が収納されている。前記中空糸膜は、大径上部７Ｂ内にＵ字状に多数の中空糸膜が収納された状態である。
【００１９】
浄水カートリッジ７の形状に合わせて、浄水カートリッジ収納部１６は、浄水カートリッジ７の小径下部７Ａを収納する小径収納部１６Ａと、浄水カートリッジ７の大径上部７Ｂを収納する大径収納部１６Ｂとを形成している。このため、浄水カートリッジ収納部１６に対応して水栓本体１１の外面には、小径収納部１６Ａと大径収納部１６Ｂとの直径差によって円形状の段差部１１Ｃが現れる。この段差部１１Ｃには、円形状に弾力性のパッキン１９が取り付けられている。水栓取付け部２の補強のために、流し台５の上壁６下面の取付け孔１２周縁部には、接着等の手段によって補強部材２２が取り付けられている。
【００２０】
水栓本体１１を取り付けるために、浄水カートリッジ収納部１６の下部の水の入口部１７には、給水路３を構成するパイプ３Ａは接続されていない。この状態で、浄水カートリッジ収納部１６の小径収納部１６Ａが、流し台５の上壁６の取付け孔１２を貫通する状態に上方からセットし、パッキン１９が流し台５の上壁６の上面に当接した状態で、上壁６の下方から小径収納部１６Ａの外周面に形成したネジ部２３に取付けナット１３を螺合させる。この取付けナット１３の締め付けによって、パッキン１９が圧縮された状態で段差部１１Ｃが流し台５の上壁６に当接し、水栓本体１１が上壁６に固定される。このようにして、段差部１１Ｃは、取付け孔１２の周縁上面に係止状態となるため、係止部と称することもできる。
【００２１】
流し台５の上壁６の取付け孔１２は、シンク１５の後側と流し台５の背面板５Ａとの間に形成された空間５０に対応した位置に形成されており、上記のような水栓１の取付けによって、浄水カートリッジ７は、水栓取付け部２である流し台５の上壁６を貫通して空間５０に侵入した状態に保持される。このため、主として、活性炭収納部である小径下部７Ａが、水栓取付け部２の下方の空間５０へ潜る状態となり、中空糸膜収納部である大径上部７Ｂが、流し台５の上壁６から上方へ突出した状態に保持される。
【００２２】
上記のような水栓１の取付け後に、給水路３を構成する給水パイプ３Ａが、取付けナット３１によって浄水カートリッジ収納部１６下部の水の入口部１７に接続される。給水パイプ３Ａの他端は、電磁弁４の出口側に接続される。電磁弁４の入口側は、市井の上水道水の供給パイプに接続された止水栓４０の出口側に接続されている。止水栓４０は手で回転可能な摘み４１の回転によって、上水道水の供給状態と停止状態とに制御できる。止水栓４０の出口側は、分岐管４２によって電磁弁４の入口側パイプ３６Ａと、上壁６に取り付けた原水用給水栓３５側の給水パイプ３６とに分岐されている。電磁弁４は、ネジ回し（ドライバー）などによってコマ弁を作動して流量調整が可能な流量調整式電磁弁４とすることもできる。
【００２３】
水栓１は、水栓本体１１にナット部材２６によって左右に回動可能に吐水部材１０が取り付けられている。給水路３から供給される原水は、浄水カートリッジ収納部１６下部の水の入口部１７から浄水カートリッジ収納部１６へ入り、その原水は浄水カートリッジ７の水の入口２７から浄水カートリッジ７へ入り、浄水カートリッジ７を上方へ通過しつつ活性炭と中空糸膜によって浄化される。この浄化された浄水は、水の出口２８から出て、浄水カートリッジ収納部１６の水の出口部１８を通って吐水部材１０の吐水パイプ部２０へ入り、吐水口２１から吐水する。
【００２４】
吐水部材１０は、浄水を導く吐出パイプ部２０を合成樹脂製又はステンレススチール等の金属製で偏平パイプ状に形成されたカバー２４内に配置されている。このカバー２４は、水栓１の吐水パイプ部分の外観デザインを良好にするためのものであるが、単に吐出パイプ部２０が吐水部材１０を形成する形態でもよい。
【００２５】
本発明では、浄水カートリッジ７へ供給される上水道水の給水路３を開閉する電磁弁４の制御操作部２５が水栓１の適所に設けられる。この実施例では、制御操作部２５は吐水部材１０の先端部の上面に設けられている。制御操作部２５は電磁弁４の開閉動作用スイッチ２５Ａを備え、スイッチ２５Ａは吐水部材１０のカバー２４内に収納されている。スイッチ２５Ａの上面は可撓性合成樹脂製フィルム２５Ｄで覆われた手動操作面を形成している。これによって、水栓本体１１よりも手前側に制御操作部２５が位置するようになるため、操作が楽になる。
【００２６】
更に、制御操作部２５には、フィルム２５Ｄの下側に表示パネル２５Ｃが設けられており、表示パネル２５Ｃによって、浄水カートリッジ７の交換時期を表示する。その表示方式は、交換時期を年月日で表示する方法と、交換時期を色で表示する方法とがある。実施例では、その後者の方法であり、新規の浄水カートリッジ７を取り付けたときは、表示パネル２５Ｃの青色（ブルー）発光ダイオード（ＬＥＤ）の光がフィルム２５Ｄを通して目視でき、交換時期になればその表示が赤色（レッド）発光ダイオード（ＬＥＤ）の光が目視できるようになる構成である。
【００２７】
水栓１の小型化を図るため、また吐水部材１０の小型化を図るために、電磁弁４、スイッチ２５Ａ及び表示パネル２５Ｃと接続される制御部５１は、水栓１から分離した箇所に設けられている。その実施形態として、シンク１５下方の流し台５の空間の側壁に取り付けられる制御ボックス５１Ａ内に収納されて防水状態である。なお、電磁弁４のソレノイド部を保護するための合成樹脂製カバー４Ａを、図１のように大きいカバー構成とすることによって、このカバー４Ａ内に制御部５１を収納するようにしてもよい。
【００２８】
スイッチ２５Ａ及び表示パネル２５Ｃと制御部５１とはリード線５２と５２Ａを介して接続され、電磁弁４と制御部５１とはリード線５２Ｂを介して接続されている。カバー２４内に配線されるリード線５２は、フレキシブル合成樹脂製の帯状シートの面に電気回路がプリントされた構成のフレキシブルプリントサーキットであり、制御操作部２５から延びるこのフレキシブルプリントサーキット５２は、パイプ部２０に沿ってカバー２４内から上壁６の上方に突出した水栓本体１１内の空間１１Ｂに延びている。このフレキシブルプリントサーキット５２は、空間１１Ｂ内でシリコンゴム被覆などのリード線５２Ａに接続され、リード線５２Ａは、段差部１１Ｃの部分から小径収納部１６Ａの外周面に形成したネジ部２３の部分に縦方向に形成した溝５３を通ることによって、取付けナット１３の締め付けの邪魔にならない状態で、浄水カートリッジ収納部１６Ａの外面に沿って取付け孔１２から空間５０へ延び、制御部５１へ接続されている。
【００２９】
このため、吐水部材１０内及び水栓本体１１内のリード線５２の通しスペースが狭くて済むため、水栓１の取付けを共通化するために、水栓取付け部２の取付け孔１２の直径が規定されている状況においても、浄水カートリッジ収納部１６の外径をかなり小さくしなくても、この取付け孔１２を通した配線が可能となり、浄水カートリッジ７の浄化能力の低下なく、しかも水栓１の高さを低くでき、浄水カートリッジ７による所期の浄化能力を確保できる装置となる。
【００３０】
電磁弁４、スイッチ２５Ａ、表示パネル２５Ｃ、及び制御部５１の電源は、乾電池ではなく、商用電源を利用しており、実施例では、商用電源の１００ボルトが制御部５１に設けた電源部に供給され、この電源部で必要な制御電圧に変換される構成である。このためスイッチ２５Ａを含む制御操作部２５には、人体に危険がない直流の低電圧が供給されるようにしている。このように、乾電池が水栓本体１１や吐水部材１０内に収納される構成ではないため、水栓１の小型化に適したものとなり、乾電池の電力切れの問題もなく、安定した浄水供給動作があられるものとなる。
【００３１】
水栓１に浄水カートリッジ７が収納された状態において、フィルム２５Ｄの上面から指でスイッチ２５Ａをプッシュすることにより、制御部５１が動作して電磁弁４がＯＮして給水路３を開き、原水が給水路３から浄水カートリッジ７へ入って浄化され、その浄水がパイプ部２０を通って吐水口２１から吐水する。再度フィルム２５Ｄの上面から指でスイッチ２５Ａをプッシュすることにより、制御部５１が動作して電磁弁４がＯＦＦし、給水路３を閉じて吐水口２１からの吐水を止める。このように、スイッチ２５Ａのプッシュ・プッシュによって電磁弁４をＯＮ・ＯＦＦして、水栓１からの浄水の取り出しが制御される。
【００３２】
ここで、水栓１に新規の浄水カートリッジ７を収納したとき、リセットスイッチを指で押してＯＮさせることによって、制御部５１のカウンタ部のリセットができる。このリセットスイッチは、制御操作部２５に設けることによって操作し易くなる。このリセットに基づき、制御部５１の動作によって表示パネル２５Ｃの青色（ブルー）発光ダイオードが発光してフィルム２５Ｄを通して青色（ブルー）の表示が目視できる。この状態において、最初に操作されるスイッチ２５Ａのプッシュによって、上記のように電磁弁４がＯＮして制御部５１のカウンタ部がカウントを開始し、再度のスイッチ２５Ａのプッシュによって電磁弁４がＯＦＦし制御部５１のカウンタ部がカウントを停止する構成とする。このようにすることによって、電磁弁４のＯＮ時間が積算されるため、浄水の取り出し時間が積算されることとなる。この積算カウント値が所定カウントに達したとき、青色（ブルー）発光ダイオードの通電を停止し、赤色（レッド）発光ダイオードに通電して発光させることによって、フィルム２５Ｄを通して赤色（レッド）の表示が目視できる。この赤色（レッド）の表示が、浄水カートリッジ７の交換時期の表示である。
【００３３】
浄水カートリッジ７の交換をし易くするために、浄水カートリッジ収納部１６は上端が開口しており、この開口は、この開口内面に形成したネジ部２９に螺合するネジ部を外面に形成したキャップ１４によって、開閉可能である。このキャップ１４と浄水カートリッジ収納部１６との水密シールパッキン３０がキャップ１４又は水栓本体１１に取り付けられている。また、浄水カートリッジ７は、その上端に突出した突部７Ｃの外面に形成したネジが、キャップ１４中心部の取付け部１４Ａの内面に形成したネジに着脱可能に螺合することによって、キャップ１４に着脱可能に取り付けられている。このため、浄水カートリッジ７をキャップ１４に取り付けた状態で、浄水カートリッジ７を浄水カートリッジ収納部１６内に挿入し、キャップ１４を浄水カートリッジ収納部１６の開口に挿入してネジ部２９に螺合することによって、浄水カートリッジ７は浄水カートリッジ収納部１６内に取り付けられる。そして、この逆にキャップ１４を回転させることによって、キャップ１４が浄水カートリッジ収納部１６から外れ、浄水カートリッジ７はキャップ１４と共に浄水カートリッジ収納部１６内から取外すことができる。
【００３４】
水栓１の小型化を図り、浄水カートリッジ収納部１６へ入った原水が効果的に浄水カートリッジ７を通過するようにするために、浄水カートリッジ収納部１６は、浄水カートリッジ７の外径よりも若干大きい内径を有する。浄水カートリッジ７とキャップ１４との間の水密シールのために、パッキン３１が浄水カートリッジ７の外面の環状溝に上下２段に取り付けられている。
【００３５】
原水用給水栓３５は、水栓１と同様の取付けである。即ち、水栓本体３７の外面に形成した段差部が上壁６に当接するように、上壁６に形成した取付け孔３４を貫通した状態にセットし、上壁６の下面に取り付けた補強材３８を介して取付けナット３９によって、水栓本体３７の外面に形成しネジ部に締め付け固定する。原水用給水栓３５は、水栓本体３７内の開閉弁をレバー３２の上下動によって開閉することにより、吐水部材３３からの原水の供給と停止を行なうことができる。
【００３６】
上記のように、水栓取付け部２である上壁６には、上方へ突出状態に水栓１が取り付けられ、水栓１の水栓本体１１には上壁６を貫通状態に浄水カートリッジ７が収納され、浄水カートリッジ７は上壁６の上方から着脱可能に水栓本体１１に保持されている。そして、水栓本体１１又は吐水部材１０には電磁弁４の開閉動作用スイッチ２５Ａを備え、浄水カートリッジ収納部１６の上部が上壁６から上方へ突出し、浄水カートリッジ収納部１６の下部が、上壁６の下方のシンク１５後方の空間５０へ潜る状態に取り付けられ、浄水カートリッジ収納部１６の上面から浄水カートリッジ７を着脱可能としている。
【００３７】
水栓の取付けを共通化するために、水栓取付け部２の取付け孔１２の直径が規定されている状況においても、浄水カートリッジ収納部１６の上部１６Ｂは下部１６Ａよりも大径にできるため、浄水カートリッジ７は、中空糸膜を詰めた部分７Ｂは活性炭が収納された小径下部７Ａよりも直径を大きくできるため、中空糸膜による浄化領域の高さを抑えて十分な浄化領域が得られることとなる。例えば、この中空糸膜を詰めた部分７Ｂは中空糸膜をＵ字状に収納する等の方法によって十分な浄化作用を得ることができ、この中空糸膜による微細な汚れ除去等の効果を十分発揮できるものとなる。このため、水栓１の取付けを共通化するために、水栓取付け部２の取付け孔１２の直径が規定されている状況においても、水栓１の高さを低くでき、しかも浄水カートリッジ７による所期の浄化能力を確保できる装置となる。
【００３８】
また、シンク１５後方の空間５０を有効利用した水栓１の取付け構造となり、しかも、流し台５の上方への水栓１の突出高さを低く抑えることができるものとなる。更に、流し台５の上面側から浄水カートリッジ７を交換できるため、交換作業がし易いものとなる。
【００３９】
そして、浄水カートリッジ収納部１６は、上端が開口し、この開口がキャップ１４によって開閉可能であり、浄水カートリッジ７はキャップ１４の着脱と共に浄水カートリッジ収納部１６に着脱可能であるため、浄水カートリッジ７の交換がし易くなる。
【００４０】
また、浄水カートリッジ７は、粒状等の活性炭が収納された直径の小さい円筒状小径下部７Ａと、その上方に中空糸膜が収納された円筒状大径上部７Ｂとを合成樹脂で形成しており、縦方向に長い形態である。水栓１を備えた流し台等の設置状況によって、水栓１とその上方に設けられた棚等の他物との間隔が小さい場合には、この長い浄水カートリッジ７の交換に際して、浄水カートリッジ７を上方へ引き上げて交換する作業がし難い場合や、交換できない場合も考えられる。これに対応するために、上記のように、円筒状小径下部７Ａの上端部と円筒状大径上部７Ｂの下端部が、ネジ結合によって着脱可能に結合される構成としている。これによって、浄水カートリッジ７の交換に際して、浄水カートリッジ７を持ち上げた状態で、このネジ結合を外すように操作して、円筒状小径下部７Ａから円筒状大径上部７Ｂを取外すことによって、円筒状大径上部７Ｂと円筒状小径下部７Ａを別個に取り出すことができる。
【００４１】
また、新規の浄水カートリッジ７の装着に際しては、前記ネジ部で円筒状小径下部７Ａと円筒状大径上部７Ｂとに分解した状態で、円筒状小径下部７Ａを先に浄水カートリッジ収納部１６に差し入れ、この状態で、円筒状大径上部７Ｂを円筒状小径下部７Ａにネジ結合して、浄水カートリッジ７を組み立て、これを浄水カートリッジ収納部１６に収納し、キャップ１４を取り付けることによって交換される。
【実施例２】
【００４２】
実施例２の構成を図７及び図８に示す。図７は本発明に係る水栓を流し台に設置した状態を説明する側面図、図８は本発明に係る水栓を説明する平面図である。これらの図において、実施例１と共通する部分及び同一機能部分には同一符号を付している。この構成では、吐水部材１０はそのままで吐出パイプ部２０を構成しており、キャップ１４の上面にナット部材２６によって吐水部材１０が左右回動可能に取り付けられている。また、制御操作部２５が水栓本体１１の前面の突出部１１Ａの上面に配置されている。制御操作部２５に接続されるリード線５２は、実施例１と同様にフレキシブル合成樹脂製の帯状シートの面に電気回路がプリントされた構成のフレキシブルプリントサーキットが用いられており、実施例１と同様の配線である。
【００４３】
このため、浄水カートリッジ７は、その上面に水の出口孔２８を形成しており、浄水カートリッジ７を通過した浄水は、キャップ１４を上方に通過して吐水部材１０に流入する構成である。浄水カートリッジ７の交換は、キャップ１４を水栓本体１１から回転させて取外して行なう。この場合、キャップ１４と共に吐水部材１０も水栓本体１１から取外される。その他の構成及び電磁弁４による給水動作は、実施例１と同様である。
【実施例３】
【００４４】
図９には、本発明の給水装置の水漏れ検知部の構成図である。この図において、実施例１と共通する部分及び同一機能部分には同一符号を付している。この構成では、水栓１の取付け部の直下に電磁弁４が位置するように、浄水カートリッジ収納部１６の直下に電磁弁４を配置する。このため、電磁弁４の出口側の給水パイプ３Ａは、電磁弁４から真上に延びて、取付けナット３１によって浄水カートリッジ収納部１６下部の水の入口部１７に接続される。電磁弁４を取り囲むように上面開口６０Ａの合成樹脂製集水容器６０が、電磁弁４の入口側パイプ３６Ａに取り付けられ、集水容器６０の上面開口６０Ａは、電磁弁４から真上に延びる給水パイプ３Ａと、その上方の浄水カートリッジ収納部１６から流下する漏水や付着水を受ける構成である。
【００４５】
このため、集水容器６０は、水栓１と電磁弁４の漏水や付着水を受けることができる。集水容器６０は、底部に水溜め部６１を一体に備え、水溜め部６１には集水検知部６２が配置されている。集水検知部６２は２本の電極６２Ａを備え、この電極６２Ａは、集水容器６０の一側に配置した制御回路部６３に接続されている。制御回路部６３は、集水容器６０の一側に取り付けた防水カバー６４内に収納されている。水溜め部６１の水位が上がって２本の電極６２Ａがこの水で短絡されると、ＬＥＤ等の表示部が点灯又は点滅して、又はブザーを鳴らして、漏水があることを報知することができる。
【００４６】
この場合、この漏水表示のＬＥＤ等の表示部は、表示パネル２５ＣのＬＥＤを兼用して、これを点滅させてもよい。また、制御回路部６３は、単独で作動して漏水検知動作と上記の漏水報知動作をする構成でもよいが、制御回路部６３は２本の電極６２Ａと接続された水位検知回路を構成し、制御部５１と接続されて、ＬＥＤ等の表示部やブザーを作動させる構成でもよい。
【産業上の利用可能性】
【００４７】
本発明は、台所の棚部分や調理台や流し台などの水栓取付け部に水栓を取り付けることができるものであり、水栓やその他の部品の構成などは、上記実施形態に限定されず、本発明の技術的範囲を逸脱しない限り種々の変更が考えられ、それに係る種々の実施形態を包含するものである。
【図面の簡単な説明】
【００４８】
【図１】本発明に係る給水装置を流し台に設置した状態を説明する正面図である。（実施例１）
【図２】本発明に係る水栓を流し台に設置した状態を説明する平面図である。（実施例１）
【図３】本発明に係る水栓を流し台に設置した状態を説明する側面図である。（実施例１）
【図４】本発明に係る水栓を流し台に設置した状態を説明する縦断側面図である。（実施例１）
【図５】本発明に係る水栓を説明する平面図である。（実施例１）
【図６】リード線の配線用溝部分の斜視図である。（実施例１）
【図７】本発明に係る水栓を流し台に設置した状態を説明する側面図である。（実施例２）
【図８】本発明に係る水栓を説明する平面図である。（実施例２）
【図９】本発明に係る水栓の水漏れ検知部の構成図である。（実施例３）
【符号の説明】
【００４９】
１・・・水栓
２・・・水栓取付け部
３・・・給水路
３Ａ・・給水パイプ
４・・・電磁弁
５・・・流し台
６・・・流し台の上壁
７・・・浄水カートリッジ
７Ａ・・浄水カートリッジの活性炭収納部
７Ｂ・・浄水カートリッジの中空糸膜収納部
１０・・吐出部材
１１・・水栓本体
１１Ｃ・・段差部
１２・・水栓取付け孔
１３・・取付けナット
１４・・キャップ
１５・・シンク
１６・・浄水カートリッジ収納部
１６Ａ・・小径収納部
１６Ｂ・・大径収納部
１７・・水の入口部
１８・・水の出口部
２０・・吐出パイプ部
２１・・吐水口
２４・・カバー
２５・・制御操作部
２５Ａ・・スイッチ
２５Ｃ・・表示パネル
２７・・浄水カートリッジの水の入口
２８・・浄水カートリッジの水の出口
３５・・原水用給水栓
５０・・空間
５１・・制御部
６０・・集水容器
６１・・集水容器
６２・・集水検知部
６２Ａ・・電極
６３・・制御回路部
【図１】
2006291603.tif 000003
【図２】
2006291603.tif 000004
【図３】
2006291603.tif 000005
【図４】
2006291603.tif 000006
【図５】
2006291603.tif 000007
【図６】
2006291603.tif 000008
【図７】
2006291603.tif 000009
【図８】
2006291603.tif 000010
【図９】
2006291603.tif 000011